(57)【要約】【課題】容易に組み立てることのできるエアクリーナを提供する。【解決手段】エアクリーナ２０では、フィルタエレメント２２の連通部５５とケース本体３０のアウトレット３４とを介して、フィルタエレメント２２内部とケース２１外部とが連通している。ケース底壁部３３とフィルタエレメント２２との隙間を塞ぐ態様で、フィルタエレメント２２に形成された嵌合凸部５７とケース底壁部３３に形成された嵌合溝３５とが嵌合している。蓋体４０は、フィルタエレメント２２をケース底壁部３３側に押圧する押圧部４６と、蓋体４０の開閉動作が可能になる態様でケース本体３０に支持されるヒンジ部４１と、蓋体４０に沿って延びてその延設方向における中間部分が同蓋体４０に回動可能に支持されるとともに一方の端部４３Ａをケース本体３０に係合させることの可能なレバー４３と、を有する。【選択図】図２
2017127836.tif 000002
【特許請求の範囲】
【請求項１】
インレットを有する側壁とアウトレットを有する底壁とを備える有底筒形状のケース本体と、同ケース本体の開口部を塞ぐ形状の蓋体と、前記アウトレットに嵌合する嵌合部を有して前記ケース本体と前記蓋体とからなるケースの内部に配設されたフィルタエレメントと、を有するエアクリーナにおいて、
前記蓋体は、前記フィルタエレメントを前記底壁側に押圧する押圧部と、前記蓋体の開閉動作が可能になる態様で前記ケース本体に支持されるヒンジ部と、前記蓋体に沿って延びてその延設方向における中間部分が前記蓋体に回動可能に支持されるとともに一端を前記ケース本体に係合可能なレバーと、を有することを特徴とするエアクリーナ。
【請求項２】
請求項１に記載のエアクリーナにおいて、
前記フィルタエレメントは、筒形状の周壁部と同周壁部の一方の開口を塞ぐ形状の蓋部とを備える有蓋筒形状であり、
前記押圧部は、前記蓋部における前記周壁部が隣接する位置に当接可能に設けられている
ことを特徴とするエアクリーナ。
【請求項３】
請求項１または２に記載のエアクリーナにおいて、
前記押圧部は、前記蓋体の内面が前記底壁側に突出する凸形状をなすとともに前記蓋体の外面が前記底壁側に向けて窪む凹形状をなしている
ことを特徴とするエアクリーナ。
【請求項４】
請求項１〜３のうちのいずれか一項に記載のエアクリーナにおいて、
前記蓋体は前記レバーを固定する固定部を有する
ことを特徴とするエアクリーナ。
【請求項５】
請求項１〜４のうちのいずれか一項に記載のエアクリーナにおいて、
前記ケース本体は、前記側壁の内面が窪んだ形状の係合凹部を有し、
前記レバーの一端は前記係合凹部と係合する
ことを特徴とするエアクリーナ。
【請求項６】
請求項５に記載のエアクリーナにおいて、
前記蓋体は、前記ケースの内部と外部とを連通するとともに前記レバーが挿通されるレバー開口部を有する
ことを特徴とするエアクリーナ。
【発明の詳細な説明】
【技術分野】
【０００１】
本発明は、ケース本体と蓋体とを有するケースの内部にフィルタエレメントが配設されてなるエアクリーナに関するものである。
【背景技術】
【０００２】
この種のエアクリーナとしては、例えば特許文献１に記載のものがある。特許文献１に記載のエアクリーナは、筒形状の側壁と底壁とを備える有底筒形状のケース本体と、同ケース本体の開口部を塞ぐ形状の蓋体と、それらケース本体および蓋体からなるケースの内部に配設されたフィルタエレメントとを有している。また、ケース本体の側壁にはケース内部に空気を流入させるインレットが設けられており、ケース本体の底壁にはケース外部に空気を流出させるアウトレットが設けられている。さらに、上記フィルタエレメントは、ケース本体のアウトレットに嵌合する嵌合部を有している。
【０００３】
そして、エアクリーナを組み立てる際には、フィルタエレメントをケース本体の底壁に押し付けることにより、同フィルタエレメントの嵌合部がケース本体のアウトレットに嵌め込まれる。上記エアクリーナでは、このようにしてケースの内部にフィルタエレメントが配設されている。
【先行技術文献】
【特許文献】
【０００４】
【特許文献１】特開平９−１６８７１３号公報
【発明の概要】
【発明が解決しようとする課題】
【０００５】
上記エアクリーナでは、その組み立てに際してフィルタエレメントの嵌合部をケース本体のアウトレットに嵌め込むためにフィルタエレメントにかけなければならない荷重が大きくなり易い。そのため、作業者の作業負荷が大きくなり易く、エアクリーナの組み立てにかかる作業性の低下を招き易くなってしまう。
【０００６】
本発明は、そうした実情に鑑みてなされたものであり、その目的は、容易に組み立てることのできるエアクリーナを提供することにある。
【課題を解決するための手段】
【０００７】
上記課題を解決するためのエアクリーナは、インレットを有する側壁とアウトレットを有する底壁とを備える有底筒形状のケース本体と、同ケース本体の開口部を塞ぐ形状の蓋体と、前記アウトレットに嵌合する嵌合部を有して前記ケース本体と前記蓋体とからなるケースの内部に配設されたフィルタエレメントと、を有するエアクリーナにおいて、前記蓋体は、前記フィルタエレメントを前記底壁側に押圧する押圧部と、前記蓋体の開閉動作が可能になる態様で前記ケース本体に支持されるヒンジ部と、前記蓋体に沿って延びてその延設方向における中間部分が前記蓋体に回動可能に支持されるとともに一端を前記ケース本体に係合可能なレバーと、を有する。
【０００８】
上記エアクリーナによれば、その組み立てに際して、レバーの他端側の部分（梃子の原理の力点）をケース内部側に向かう方向に操作することにより、レバーの一端とケース本体とが係合している部分（梃子の原理の支点）を中心に同レバーが回動するようになるため、このレバーによって、蓋体における同レバーを支持している部分（梃子の原理の作用点）がケース内部側に押圧されるようになる。これにより、蓋体がヒンジ部を中心にケース本体の開口部を閉じる方向（閉方向）に回動するようになり、ケース本体の内部に収容されているフィルタエレメントが蓋体の押圧部によって底壁側に押圧されてケース内部に押し込まれるようになる。そして、このときフィルタエレメントの嵌合部がケース本体の底壁に設けられたアウトレットに嵌め込まれる。
【０００９】
このように上記エアクリーナによれば、レバーの一端におけるケース本体に係合する部分を支点とし、レバーの他端側の部分を力点とし、レバーにおける蓋体に支持された部分（回転軸）を作用点として、梃子の原理を利用して、フィルタエレメントをケース内部に押し込みつつ蓋体を閉じる作業を行うことができる。そのため、この作業をレバーを小さい力で操作することによって行うことができ、エアクリーナを容易に組み立てることができる。
【発明の効果】
【００１０】
本発明によれば、エアクリーナを容易に組み立てることができる。
【図面の簡単な説明】
【００１１】
【図１】第１実施形態のエアクリーナの側面図。
【図２】同エアクリーナの断面図。
【図３】同エアクリーナの分解斜視図。
【図４】蓋体の斜視図。
【図５】（ａ）はヒンジアーム部の側面図であり、（ｂ）は（ａ）の矢印５Ｂ方向から見たヒンジアーム部の側面図。
【図６】（ａ）は支点アーム部の側面図であり、（ｂ）は（ａ）の矢印６Ｂ方向から見た支点アーム部の側面図。
【図７】図４の７−７線に沿った蓋体の断面図。
【図８】図４の８−８線に沿った蓋体の断面図。
【図９】組み立て過程におけるエアクリーナの側面図。
【図１０】組み立て過程における蓋体とフィルタエレメントとの関係を示す側面図。
【図１１】第２実施形態のエアクリーナの側面図。
【図１２】同エアクリーナの断面図。
【図１３】蓋体の斜視図。
【図１４】図１３の１４−１４線に沿った蓋体の断面図。
【図１５】ケース本体の平面図。
【図１６】図１３の矢印１６方向から見た固定部およびその周辺の側面図。
【図１７】組み立て過程におけるエアクリーナの側面図。
【発明を実施するための形態】
【００１２】
（第１実施形態）
以下、エアクリーナの第１実施形態について説明する。
図１〜図３に示すように、エアクリーナ２０は、ケース２１と、同ケース２１の内部に配設されたフィルタエレメント２２とを有している。
【００１３】
ケース２１は、有底円筒形状のケース本体３０を有している。詳しくは、ケース本体３０は、側壁としての円筒形状のケース周壁部３１を備えている。このケース周壁部３１には、ケース２１の内部に空気を導入するためのインレット３２が形成されている。インレット３２は、ケース周壁部３１に形成された貫通孔と同ケース周壁部３１の外面から円筒形状で突出する部分とによって構成されており、ケース２１内部（詳しくは、ケース本体３０とフィルタエレメント２２との間隙）と同ケース２１の外部とを連通している。
【００１４】
またケース本体３０は、円筒形状のケース周壁部３１の一方側（図１の下方側）の開口を塞ぐ形状の底壁としてのケース底壁部３３を備えている。ケース底壁部３３にはケース２１の内部から空気を導出するアウトレット３４が形成されている。このアウトレット３４は、ケース底壁部３３に形成された貫通孔と同ケース底壁部３３の外面から円筒形状で突出する部分とによって構成されており、ケース２１内部（詳しくは、フィルタエレメント２２の内部）と同ケース２１の外部とを連通している。ケース底壁部３３における上記ケース２１の内部側の面には、アウトレット３４の周囲全周にわたって延びる円環形状の嵌合溝３５（図２）が形成されている。
【００１５】
ケース周壁部３１の他方（図２の上方）の端部はケース本体３０の外部に向けて開口する開口部３６になっている。ケース２１は、ケース本体３０の開口部３６を塞ぐ形状の蓋体４０を有している。蓋体４０の構造については後に詳述する。
【００１６】
フィルタエレメント２２は有蓋円筒形状をなしている。詳しくは、フィルタエレメント２２は、円筒形状のフィルタ周壁部５０を有している。フィルタ周壁部５０は、菊花状に折り曲げられた濾紙からなる濾材５１と、濾材５１の周囲をその全周にわたって覆う形状の金網５２とによって構成されている。
【００１７】
またフィルタエレメント２２は、フィルタ周壁部５０の一方側（図２における上方側）の端部全体を覆う円板形状のフィルタ蓋部５３を有している。このフィルタ蓋部５３は合成ゴム材料によって形成されている。
【００１８】
さらにフィルタエレメント２２は、フィルタ周壁部５０の他方側（図２における下方側）の端部を覆う円環形状のフィルタ底壁部５４を有している。フィルタ底壁部５４は合成ゴム材料によって形成されている。フィルタ底壁部５４はフィルタエレメント２２の内部および外部を連通する連通部５５を備えている。連通部５５は、フィルタ底壁部５４の中央部分に形成された貫通孔５６と、フィルタ底壁部５４の中央部分から外方（図２における下方）に向けて円筒形状で突出する嵌合部としての嵌合凸部５７とによって構成されている。
【００１９】
図２に示すように、エアクリーナ２０では、フィルタエレメント２２の嵌合凸部５７が圧縮された状態でケース底壁部３３の嵌合溝３５に嵌め込まれて、ケース底壁部３３の嵌合溝３５とフィルタエレメント２２の嵌合凸部５７とが嵌合している。これにより、ケース底壁部３３（アウトレット３４）とフィルタエレメント２２（連通部５５）との隙間が塞がれた状態で、フィルタエレメント２２の連通部５５とケース底壁部３３のアウトレット３４とが連通されている。このようにエアクリーナ２０では、連通部５５およびアウトレット３４を介して、フィルタエレメント２２の内部とケース２１の外部とが連通されている。
【００２０】
エアクリーナ２０は次のように機能する。先ずは、図２中に矢印で示すように、ケース本体３０のインレット３２を介して、ケース本体３０とフィルタエレメント２２との間隙に空気が流入する。そして、この空気は、フィルタエレメント２２のフィルタ周壁部５０（金網５２および濾材５１）を通過して同フィルタエレメント２２の内部に流入するようになる。このフィルタ周壁部５０の通過に際して空気は濾過される。その後、フィルタエレメント２２内部の空気は、同フィルタエレメント２２の連通部５５とケース底壁部３３のアウトレット３４とを介してケース２１の外部に流出するようになる。
【００２１】
エアクリーナ２０では、フィルタエレメント２２による高い濾過機能を得るために、同フィルタエレメント２２の嵌合凸部５７とケース本体３０の嵌合溝３５との接触面圧が高くなっている。そのため、エアクリーナ２０の組み立てに際して、フィルタエレメント２２の嵌合凸部５７をケース本体３０の嵌合溝３５に嵌め込むために同フィルタエレメント２２にかけなければならない荷重が大きい。
【００２２】
このことを踏まえて、エアクリーナ２０は、組み立て作業における作業者の負荷を小さく抑えることの可能な構造になっている。以下、この構造について詳しく説明する。
図２〜図４に示すように、蓋体４０の外縁における下端にはケース２１の外方（図２の右方向）に向けて突出する平板形状のヒンジ部４１が形成されている。
【００２３】
一方、図２および図５（ａ）および図５（ｂ）に示すように、ケース本体３０には、ケース周壁部３１における開口部３６（図２）側の端部の外面から突出する形状のヒンジアーム部３７が形成されている。ヒンジアーム部３７は、ケース本体３０の外面から外方（図２の右方向）に向けて突出するベース部３７Ａと、同ベース部３７Ａの先端（図２の上端）を始点に上方に向けて突出する支持部３７Ｂとからなる。支持部３７Ｂは、ケース周壁部３１の径方向（図２における左右方向）において貫通するヒンジ孔３７Ｃを有している。
【００２４】
図１および図２に示すように、エアクリーナ２０では、蓋体４０のヒンジ部４１がケース本体３０のヒンジ孔３７Ｃに挿入されている。これにより、蓋体４０は開閉動作が可能な態様でケース本体３０に支持されている。
【００２５】
図２および図４に示すように、蓋体４０にはその外面に沿って延びる形状のレバー４３が設けられている。このレバー４３は、延設方向における中間部分が蓋体４０に回動可能に支持されている。詳しくは、レバー４３の中間部分にはその幅方向（図２の紙面と直交する方向）における両側面から円柱形状で突出する一対の回転軸４４が設けられている。一方、蓋体４０の外面における各回転軸４４に対向する位置には、ケース２１の上下方向（図２の上下方向）において蓋体４０の上端から途中まで延びる形状の溝４５がそれぞれ形成されている。そして、レバー４３の各回転軸４４が蓋体４０の各溝４５に係合することにより、レバー４３が蓋体４０に対して回動可能になっている。
【００２６】
レバー４３の一方（図２における左側）の端部４３Ａは、蓋体４０の外面からケース２１の外方（図２の左方向）に向けて突出している。
一方、図２および図６（ａ）および図６（ｂ）に示すように、ケース本体３０には、ケース周壁部３１における開口部３６（図２）側の端部の外面から突出する形状の支点アーム部３８が形成されている。この支点アーム部３８は、ケース周壁部３１の周方向において、上記ヒンジアーム部３７の形成位置から１８０度だけずれた位置に形成されている。また支点アーム部３８は、ケース本体３０の外面から外方に向けて突出するベース部３８Ａと、同ベース部３８Ａの先端（図２の上端）を始点に上方に向けて突出する支持部３８Ｂとからなる。支持部３８Ｂは、ケース周壁部３１の径方向（図２における左右方向）において貫通する係合孔３８Ｃを有している。
【００２７】
図１および図２に示すように、エアクリーナ２０では、レバー４３の一方の端部４３Ａがケース本体３０の係合孔３８Ｃに挿入されている。
図７に示すように、蓋体４０は、その内面がケース底壁部３３側（図７の下方）に向けて突出する凸形状をなす押圧部４６を複数（本実施形態では２つ）有している。これら押圧部４６は、その蓋体４０の外面にあたる部分がケース底壁部３３側に向けて窪む凹形状をなす中空構造である。各押圧部４６の外形は、蓋体４０の外周面に沿って断面円弧形状で延びる円弧壁部４６Ａと同円弧形状における弦になる断面形状で延びる弦壁部４６Ｂとからなる略三日月形状である。図３に示すように、各押圧部４６は、蓋体４０におけるレバー４３の配設位置を間に挟む位置において、フィルタ蓋部５３におけるフィルタ周壁部５０が隣接する位置に当接している。
【００２８】
図２に示すように、エアクリーナ２０では、蓋体４０がケース本体３０（図２）に組み付けられたときに、蓋体４０の各押圧部４６がフィルタエレメント２２のフィルタ蓋部５３に当接して、同フィルタエレメント２２をケース底壁部３３側に押圧する構造になっている。
【００２９】
図２〜図４に示すように、蓋体４０には、その中央部分を含む位置において各押圧部４６に挟まれる位置に、レバー４３の配設位置に沿って同蓋体４０の一方側（図２の左側）の端部から他方側（図２の右側）の端部近傍まで直線状に延びる凹部であるレバー凹部４７が形成されている。エアクリーナ２０では、蓋体４０がケース本体３０に組み付けられたときに、蓋体４０のレバー凹部４７の一部分がフィルタエレメント２２のフィルタ蓋部５３に当接する構造になっている。すなわち、このレバー凹部４７によっても、フィルタエレメント２２がケース底壁部３３側に押圧される。
【００３０】
図２および図４に示すように、蓋体４０のレバー凹部４７には、レバー４３の一方（図２の右側）の端部４３Ｂを固定する固定部４８が設けられている。詳しくは、図８に示すように、固定部４８は、レバー凹部４７の底面４７Ａから上方に向けて間隔を置いて突出する形状の一対の係合壁部４８Ａを有している。各係合壁部４８Ａの対向面にはそれぞれ係合溝４８Ｂが形成されている。そして、エアクリーナ２０の組み付けに際しては、レバー４３を、一対の係合壁部４８Ａの間にそれらを図８中に矢印で示すように押し広げるようにして侵入させて各係合溝４８Ｂに係合させる。これにより、レバー４３が蓋体４０に固定されるようになる。
【００３１】
以下、上記エアクリーナ２０による作用効果について説明する。
図９に示すように、エアクリーナ２０を組み立てる際には、先ず、ケース本体３０の内部にフィルタエレメント２２が収容された状態で、ケース本体３０のヒンジアーム部３７のヒンジ孔３７Ｃに蓋体４０のヒンジ部４１が挿通されるとともに、支点アーム部３８の係合孔３８Ｃにレバー４３の一方の端部４３Ａが挿通（係合）される。なお、このときフィルタエレメント２２の嵌合凸部５７はケース本体３０の嵌合溝３５に嵌合していない。
【００３２】
そして、この状態で、レバー４３の他端側（図９における右側）の部分（梃子の原理における力点Ｅ）が蓋体４０に近づく方向（図９の下方）に操作される。これにより、図９中に矢印Ａ１で示すように、レバー４３の端部４３Ａとケース本体３０の支点アーム部３８とが係合している部分（梃子の原理における支点Ｆ）を中心に同レバー４３が回動するようになる。そのため、レバー４３によって、蓋体４０における同レバー４３を支持している部分（梃子の原理における作用点Ｌ）がケース２１内部側に押圧されるようになる。
【００３３】
その結果、図９中に矢印Ａ２で示すように、蓋体４０がヒンジ部４１（詳しくは、ヒンジアーム部３７との係合部分）を中心にケース本体３０の開口部３６（図２参照）を閉じる方向（閉方向）に回動するようになる。これにより、図１０中に矢印Ａ３で示すように、ケース本体３０の内部に収容されているフィルタエレメント２２が蓋体４０の各押圧部４６によってケース底壁部３３側に押圧されてケース２１内部に押し込まれるようになる。そして、このときフィルタエレメント２２のフィルタ底壁部５４の嵌合凸部５７がアウトレット３４（詳しくは、ケース本体３０のケース底壁部３３の嵌合溝３５（図９））に嵌め込まれるようになる。
【００３４】
このようにエアクリーナ２０によれば、レバー４３の回転軸４４を作用点Ｌとし、レバー４３の他端側の部分を力点Ｅとし、レバー４３におけるケース本体３０に係合する部分を支点Ｆとして、梃子の原理を利用して、フィルタエレメント２２をケース２１内部に押し込みつつ蓋体４０を閉じる作業を行うことができる。そのため、エアクリーナ２０の組み立て作業をレバー４３を小さい力で操作することによって行うことができ、エアクリーナ２０を容易に組み立てることができる。
【００３５】
以上説明したように、本実施形態によれば、以下に記載する効果が得られる。
（１）エアクリーナ２０を容易に組み立てることができる。
（２）蓋体４０の各押圧部４６の形状を、フィルタ蓋部５３におけるフィルタ周壁部５０が隣接する位置に当接する形状にした。そのため、エアクリーナ２０の組み立てに際して、蓋体４０の押圧部４６によってフィルタエレメント２２を押圧するときに、フィルタ蓋部５３におけるフィルタ周壁部５０が隣接する部分、すなわちフィルタエレメント２２の中でも強度の高い部分を押圧することができる。したがってフィルタエレメント２２を、不要な変形を抑えつつ、ケース２１内部に押し込むことができる。
【００３６】
（３）蓋体４０の各押圧部４６を、蓋体４０の内面がケース底壁部３３側に突出する凸形状をなすとともに同蓋体４０の外面がケース底壁部３３側に向けて窪む凹形状をなす中空構造にした。そのため、蓋体４０の内面が突出した部分により、フィルタエレメント２２のフィルタ蓋部５３における任意の部分を的確に押圧することができる。しかも、蓋体４０の外面が窪むことなく同蓋体４０の内面が突出する中実構造の押圧部を形成する場合と比較して、押圧部４６の形成に必要な材料の量を少なくすることができるため、エアクリーナ２０の製造コストの低減や軽量化を図ることができる。
【００３７】
（４）蓋体４０にレバー４３を固定するための固定部４８を設けたために、レバー４３を操作して蓋体４０を閉じた後において同レバー４３が不要に回動することを抑えることができる。これにより、蓋体４０が不要に開いてしまうことを抑えたり、レバー４３の振動に伴う騒音の発生を抑えたりすることができる。
【００３８】
（第２実施形態）
以下、エアクリーナの第２実施形態について、第１実施形態との相違点を中心に説明する。
【００３９】
本実施形態のエアクリーナと第１実施形態のエアクリーナとは、レバーを用いて蓋体を閉じるための構造が異なる。以下、本実施形態のエアクリーナにおけるレバーおよびその周辺構造について説明する。なお以下では、第１実施形態の構成と同一の構成については、同一の符号を付すことにより重複する説明を省略する。また、第１実施形態の構成と対応する構成については、「４０」を加算した符号を付すことにより重複する説明を省略する。
【００４０】
図１１〜図１３に示すように、ケース６１の蓋体８０には、同蓋体８０に沿って延びる形状のレバー８３が設けられている。レバー８３は、その延設方向における中間部分が蓋体８０に回動可能に支持されている。詳しくは、レバー８３の中間部分に設けられた一対の回転軸８４と蓋体８０の外面に設けられた溝８５とが係合することにより、レバー８３が蓋体８０に対して回動可能になっている。レバー８３の一方側（図１２における右側）の部分は蓋体８０の外面に沿って延びている。一方、レバー８３の他方側（図１２における左側）の部分は、蓋体８０に形成された開口であるレバー開口部８２に挿通されるとともに、同蓋体４０よりも下方側のケース本体７０内部において延びている。レバー開口部８２は、ケース６１の内部と外部とを連通する形状であり、蓋体８０の外縁端を始点に、レバー８３の配設位置およびその周辺が切り欠かれた形状である。
【００４１】
図１２〜図１４に示すように、蓋体８０は、その内面がケース底壁部７３側（図１２の下方）に向けて突出する凸形状をなす前記押圧部４６を複数（本実施形態では２つ）有している。
【００４２】
また図１２および図１３に示すように、蓋体８０は、各押圧部４６に挟まれる位置に、レバー８３の配設位置に沿って同蓋体８０の一方側（図２の左側）の端部を支点に同蓋体８０の中央部分に向けて直線状に切り欠かれた部分である切り欠き部８９を有している。この切り欠き部８９は上下方向に延びる側壁部８９Ａによって三方向を囲まれている。この側壁部８９Ａにはレバー８３の回転軸８４が係合する上記溝８５が形成されている。また、切り欠き部８９の下方側の端部が前記レバー開口部８２になっている。
【００４３】
図１１および図１２に示すように、ケース本体７０と蓋体８０とは蝶番６３によって連結されている。この蝶番６３によって蓋体８０はケース本体７０の開口部３６（図１２）を開閉可能になっている。なお本実施形態では、蝶番６３における蓋体８０と一体の部分がヒンジ部に相当する。
【００４４】
図１２および図１５に示すように、ケース本体７０のケース周壁部７１における開口部３６側（図１２における上方側）の端部近傍には、同ケース周壁部７１の内面が窪んだ形状の係合凹部６８が形成されている。この係合凹部６８は、ケース周壁部７１の周方向において、上記蝶番６３の配設位置から１８０度だけずれた位置に形成されている。図１１および図１２に示すように、エアクリーナ６０では、レバー８３におけるケース６１内部側の端部８３Ａがケース本体７０の係合凹部６８に係合している。
【００４５】
図１３に示すように、蓋体８０の外面には、レバー８３のケース６１外方側の端部８３Ｂを固定するための固定部８８が設けられている。詳しくは、図１６に示すように、固定部８８は、蓋体８０の外面から上方に向けて間隔を置いて突出する形状の一対の係合壁部８８Ａを有している。各係合壁部８８Ａの対向面にはそれぞれ係合溝８８Ｂが形成されている。そして、エアクリーナ６０の組み付けに際しては、レバー８３を、一対の係合壁部８８Ａの間にそれらを図１６中に矢印で示すように押し広げるようにして侵入させて各係合溝８８Ｂに係合させる。これにより、レバー８３が蓋体８０に固定されるようになる。
【００４６】
エアクリーナ６０は、ケース周壁部７１の周方向におけるレバー開口部８２が設けられた部位が最も鉛直方向下方側の位置になる態様で配置されている。具体的には、図１２中に矢印ＵＰで示す方向が鉛直方向上方になるように、エアクリーナ６０は配置されている。
【００４７】
以下、上記エアクリーナ６０による作用効果について説明する。
図１７に示すように、エアクリーナ６０を組み立てる際には、先ず、ケース本体７０の内部にフィルタエレメント２２が収容された状態で、ケース本体７０の係合凹部６８に蓋体８０のレバー８３の端部８３Ａが係合される。なお、このときフィルタエレメント２２の嵌合凸部５７はケース本体７０の嵌合溝３５に嵌合していない。
【００４８】
そして、この状態で、レバー８３におけるケース６１外方に配置される部分（梃子の原理における力点Ｅ）がケース６１内部側に向かう方向（図１７の下方）に操作される。これにより、図１７中に矢印Ｂ１で示すように、レバー８３の端部８３Ａとケース本体７０の係合凹部６８とが係合している部分（梃子の原理における支点Ｆ）を中心に同レバー８３が回動するようになる。そのため、このレバー８３によって、蓋体８０における同レバー８３を支持している部分（梃子の原理における作用点Ｌ）がケース６１内部側に押圧されるようになる。
【００４９】
その結果、図１７中に矢印Ｂ２で示すように、蓋体８０が蝶番６３の揺動軸を中心にケース本体７０の開口部３６を閉じる方向（閉方向）に回動するようになる。これにより、図１７中に矢印Ｂ３で示すように、ケース本体７０の内部に収容されているフィルタエレメント２２が蓋体８０の各押圧部４６によってケース底壁部７３側に押圧されてケース６１内部に押し込まれるようになる。そして、このときフィルタエレメント２２のフィルタ底壁部５４の嵌合凸部５７がアウトレット３４（詳しくは、ケース本体７０のケース底壁部３３の嵌合溝３５）に嵌め込まれるようになる。
【００５０】
このようにエアクリーナ６０によれば、レバー８３の回転軸８４を作用点Ｌとし、レバー８３のケース６１外部側の部分を力点Ｅとし、レバー８３におけるケース本体７０に係合する部分を支点Ｆとして、梃子の原理を利用して、フィルタエレメント２２をケース６１内部に押し込みつつ蓋体８０を閉じる作業を行うことができる。そのため、エアクリーナ６０の組み立て作業をレバー８３を小さい力で操作することによって行うことができ、エアクリーナ６０を容易に組み立てることができる。
【００５１】
以上説明したように、本実施形態によれば、先の（１）〜（４）に記載した効果と同様の効果に加えて、以下の（５）および（６）に記載する効果が得られるようになる。
（５）ケース本体７０のケース周壁部７１に内面が窪んだ形状の係合凹部６８を形成するとともに、同係合凹部６８にレバー８３のケース６１内部側の端部８３Ａを係合させるようにした。これにより、ケース周壁部７１にレバー８３の一端と係合する機能を持たせることができるため、レバー８３の一端と係合する部分を別途設ける場合と比較して、ケース本体７０、ひいてはエアクリーナ６０を簡素な構造にすることができる。
【００５２】
（６）蓋体８０に形成されたレバー開口部８２を介してレバー８３の一端がケース６１の内部まで延びる構造であるため、同レバー８３の一端をケース本体７０の内面の係合凹部６８に係合させることができる。ここで、エアクリーナ６０の内部において凝縮水が発生すると、その凝縮水はケース６１の内面を伝い落ちるようになる。本実施形態のエアクリーナ６０は、ケース周壁部７１の周方向におけるレバー開口部８２が設けられた部位が最も鉛直方向下方側の位置になる態様で配置されている。そのため、ケース６１内面を伝い落ちて同ケース６１の鉛直方向下方側の部分に到達した凝縮水は、レバー開口部８２を介して、同ケース６１の外部に排出されるようになる。このように実施形態のエアクリーナ６０によれば、内部で発生した凝縮水をレバー開口部８２を介してエアクリーナ６０の外部に排出することができる。
【００５３】
（他の実施形態）
なお、上記各実施形態は、以下のように変更して実施してもよい。
・第１実施形態において、ヒンジアーム部３７の支持部３７Ｂに、ヒンジ孔３７Ｃを形成することに代えて、ケース周壁部３１側の面が同ケース周壁部３１から離間する方向に窪む形状の凹部を形成してもよい。こうした構成によっても、蓋体４０のヒンジ部４１をヒンジアーム部３７の凹部に係合させることにより、蓋体４０をケース本体３０に回転可能に支持させることができる。
【００５４】
・第１実施形態において、蓋体４０を開閉可能にするために、蓋体４０にヒンジ部４１を形成するとともにケース本体３０にヒンジアーム部３７を形成することに代えて、蝶番によってケース本体３０と蓋体４０とを連結するようにしてもよい。
【００５５】
・第１実施形態において、支点アーム部３８の支持部３８Ｂに、係合孔３８Ｃを形成することに代えて、ケース周壁部３１側の面が同ケース周壁部３１から離間する方向に窪む形状の凹部を形成してもよい。こうした構成によっても、レバー４３の端部４３Ａを支点アーム部３８の凹部に係合させることができ、その係合部分を梃子の原理における支点Ｆとすることができる。
【００５６】
・第２実施形態において、蓋体８０を開閉可能にするために、蝶番６３によってケース本体７０と蓋体８０とを連結することに代えて、蓋体８０にヒンジ部４１（図３参照）を形成するとともにケース本体７０にヒンジアーム部３７（図５参照）を形成するようにしてもよい。
【００５７】
・第２実施形態において、ケース周壁部７１の内面に係合凹部６８を形成することに代えて、ケース周壁部７１を貫通してケース６１の内部と外部とを連通する形状の貫通孔を形成してもよい。こうした構成によっても、レバー８３の一端をケース周壁部７１の貫通孔に挿通することによってレバー８３の一端をケース周壁部７１に係合させることができ、その係合部分を梃子の原理における支点Ｆとすることができる。
【００５８】
・第２実施形態において、エアクリーナ６０の配置態様は、ケース周壁部７１の周方向におけるレバー開口部８２が設けられた部位が最も鉛直方向下方の位置になる態様に限らず、任意の配置態様を採用することができる。
【００５９】
・各実施形態において、押圧部４６を、中空構造にすることに限らず、中実構造にしてもよい。
・各実施形態において、押圧部４６の形状は任意に変更可能である。要は、レバー４３，８３の操作によって蓋体４０，８０が閉じられる際に、押圧部４６によってフィルタエレメント２２を押圧してケース２１，６１の内部に押し込むことができればよい。
【００６０】
・各実施形態において、レバー４３，８３を蓋体４０，８０に固定するための固定部４８，８８の構造は、任意に変更することができる。例えば、レバー４３，８３の回動を規制する態様で同レバー４３，８３に係合させることの可能なクランプ部材を、蓋体４０，８０に対して揺動可能な状態で同蓋体４０，８０に設けるようにしてもよい。こうした構成によっても、固定部としてのクランプ部材を揺動させてレバー４３，８３に係合させることにより、同レバー４３，８３を蓋体４０，８０に固定することができる。
【００６１】
・各実施形態において、レバー４３，８３を蓋体４０，８０に固定する固定部４８，８８とは別に、蓋体４０，８０およびケース本体３０，７０を挟み込んで留めるクランプ部材をエアクリーナ２０，６０に設けるようにしてもよい。こうした構成によれば、蓋体４０，８０によってケース本体３０，７０の開口部３６を塞いだ状態を好適に保持することができる。
【００６２】
・各実施形態において、蓋体４０，８０によってケース本体３０，７０の開口部３６が塞がれた状態になった後におけるレバー４３，８３の不要な回動が抑えられるのであれば、固定部４８，８８を省略してもよい。
【００６３】
・各実施形態において、フィルタエレメント２２の嵌合部とケース底壁部３３，７３のアウトレット３４とが嵌合する構造は任意に変更することができる。例えばフィルタエレメント２２のフィルタ底壁部５４の外面に、嵌合凸部５７を形成することに代えて、貫通孔５６の内縁に沿って環状で延びる嵌合溝を形成してもよい。また、ケース本体３０，７０におけるケース底壁部３３，７３の内面に、嵌合溝３５を形成することに代えて、アウトレット３４の開口の周囲全周を囲む円筒形状で突出する嵌合凸部を形成してもよい。こうしたエアフィルターでは、その組み立てに際して、ケース底壁部３３，７３の嵌合凸部をフィルタエレメント２２の嵌合溝に嵌め込むといったように、フィルタエレメント２２の嵌合溝とケース底壁部３３，７３の嵌合凸部とを嵌合させればよい。この例においては、フィルタエレメント２２の嵌合溝が嵌合部に相当する。こうしたエアクリーナによっても、上記各実施形態の作用効果に準じた効果を得ることができる。
【００６４】
・各実施形態に記載のエアクリーナは、四角筒形状のケース周壁部や楕円筒形状のケース周壁部など、円筒形状以外の筒形状のケース周壁部を有するエアクリーナにも適用することができる。
【００６５】
・各実施形態において、フィルタエレメント２２の形状や構造は任意に変更可能である。
【符号の説明】
【００６６】
２０，６０…エアクリーナ、２１，６１…ケース、２２…フィルタエレメント、３０，７０…ケース本体、３１，７１…ケース周壁部、３２…インレット、３３，７３…ケース底壁部、３４…アウトレット、３５…嵌合溝、３６…開口部、３７…ヒンジアーム部、３７Ａ…ベース部、３７Ｂ…支持部、３７Ｃ…ヒンジ孔、３８…支点アーム部、３８Ａ…ベース部、３８Ｂ…支持部、３８Ｃ…係合孔、４０，８０…蓋体、４１…ヒンジ部、４３，８３…レバー、４３Ａ，４３Ｂ，８３Ａ，８３Ｂ…端部、４４，８４…回転軸、４５，８５…溝、４６…押圧部、４６Ａ…円弧壁部、４６Ｂ…弦壁部、４７…レバー凹部、４７Ａ…底面、４８，８８…固定部、４８Ａ，８８Ａ…係合壁部、４８Ｂ，８８Ｂ…係合溝、５０…フィルタ周壁部、５１…濾材、５２…金網、５３…フィルタ蓋部、５４…フィルタ底壁部、５５…連通部、５６…貫通孔、５７…嵌合凸部、６３…蝶番、６８…係合凹部、８２…レバー開口部、８９…切り欠き部、８９Ａ…側壁部。
【図１】
2017127836.tif 000003
【図２】
2017127836.tif 000004
【図３】
2017127836.tif 000005
【図４】
2017127836.tif 000006
【図５】
2017127836.tif 000007
【図６】
2017127836.tif 000008
【図７】
2017127836.tif 000009
【図８】
2017127836.tif 000010
【図９】
2017127836.tif 000011
【図１０】
2017127836.tif 000012
【図１１】
2017127836.tif 000013
【図１２】
2017127836.tif 000014
【図１３】
2017127836.tif 000015
【図１４】
2017127836.tif 000016
【図１５】
2017127836.tif 000017
【図１６】
2017127836.tif 000018
【図１７】
2017127836.tif 000019